【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
加速器と、前記加速器で加速された粒子線が導かれ、前記粒子線が通過する患者コリメータおよび患者ボーラスを有する粒子線照射装置とを備えた粒子線治療システムにおいて、
前記粒子線照射装置に装着された前記患者ボーラスから読み取られた識別標識が正しいと判断されたとき前記加速器から前記粒子線照射装置への粒子線の入射を許可する安全手段を設けたことを特徴とする粒子線治療システム。
【請求項２】
加速器と、前記加速器で加速された粒子線が導かれ、前記粒子線が通過する患者コリメータおよび患者ボーラスを有する粒子線照射装置とを備えた粒子線治療システムにおいて、
前記粒子線照射装置に装着された前記患者ボーラスから読み取られた各々の識別標識が間違っていると判断されたとき前記加速器から前記粒子線照射装置への粒子線の入射を禁止する安全手段を設けたことを特徴とする粒子線治療システム。
【請求項３】
加速器と、前記加速器で加速された粒子線が導かれ、前記粒子線が通過する患者コリメータおよび患者ボーラスを有する粒子線照射装置とを備えた粒子線治療システムにおいて、
前記粒子線照射装置に装着された前記患者コリメータおよび前記患者ボーラスのそれぞれから読み取られた各々の識別標識が正しいと判断されたとき前記加速器から前記粒子線照射装置への粒子線の入射を許可する安全手段を設けたことを特徴とする粒子線治療システム。
【請求項４】
加速器と、前記加速器で加速された粒子線が導かれ、前記粒子線が通過する患者コリメータおよび患者ボーラスを有する粒子線照射装置とを備えた粒子線治療システムにおいて、
前記粒子線照射装置に装着された前記患者コリメータおよび前記患者ボーラスのそれぞれから読み取られた各々の識別標識が間違っていると判断されたとき前記加速器から前記粒子線照射装置への粒子線の入射を禁止する安全手段を設けたことを特徴とする粒子線治療システム。
【請求項５】
請求項３または請求項４において、加速器は、前段加速器と、該前段加速器から入射してくる粒子線を加速する円形加速器とを有することを特徴とする粒子線治療システム。
【請求項６】
請求項５において、前記安全手段は、前段加速器から円形加速器への粒子線の輸送系、または円形加速器から粒子線照射装置への粒子線の輸送系に設けられ該輸送系を開閉するストッパであることを特徴とする粒子線治療システム。
【請求項７】
請求項３乃至請求項６のいずれかにおいて、前記患者ボーラスおよび前記患者コリメータに付けられているそれぞれの識別標識は、該患者ボーラスおよび患者コリメータ自体に刻設された凹凸で構成され、該識別標識の読み取りは該凹凸状態を読み取って行うことを特徴とする粒子線治療システム。
【請求項８】
請求項３乃至請求項７のいずれかにおいて、前記識別標識の正誤の判断は、当該治療対象の治療計画で定められた前記患者ボーラスおよび前記患者コリメータの加工データに付された識別標識と一致するか否かで行うことを特徴とする粒子線治療システム。
【手続補正２】
【補正対象書類名】明細書
【補正対象項目名】０００９
【補正方法】変更
【補正の内容】
【０００９】
本発明の目的は、間違った患者ボーラスの粒子線照射装置への装着による患者への粒子線の誤照射を防ぐことができる粒子線治療システムを提供することにある。
【手続補正３】
【補正対象書類名】明細書
【補正対象項目名】００１０
【補正方法】変更
【補正の内容】
【００１０】
【課題を解決するための手段】
上記目的を達成する本発明の特徴は、粒子線照射装置に装着された患者ボーラスから読み取られた識別標識が正しいと判断されたとき加速器から粒子線照射装置への粒子線の入射を許可する安全手段を設けたことにある。
【手続補正４】
【補正対象書類名】明細書
【補正対象項目名】００１１
【補正方法】変更
【補正の内容】
【００１１】
粒子線照射装置に装着された患者ボーラスが正しいときにのみ治療対象に粒子線の照射が可能となり、間違った患者ボーラスが装着されたときは照射が不可能となるため、不適切な粒子線の患者への照射が防止される。
好ましくは、粒子線照射装置に装着された患者コリメータおよび患者ボーラスのそれぞれから読み取られた各々の識別標識が正しいと判断されたとき加速器から粒子線照射装置への粒子線の入射を許可する安全手段を設けることが望ましい。
これにより、粒子線照射装置に装着された患者コリメータおよび患者ボーラスが正しいときにのみ治療対象に粒子線の照射が可能となり、間違った患者コリメータ，患者ボーラスが装着されたときは照射が不可能となるため、不適切な粒子線の患者への照射が防止される。
【手続補正５】
【補正対象書類名】明細書
【補正対象項目名】００１３
【補正方法】変更
【補正の内容】
【００１３】
加速器１は、イオン源１ａと、該イオン源１ａから発生した荷電粒子を所要エネルギーまで加速する前段加速器１ｂと、複数の偏向電磁石１ｃや多重極電磁石１ｄ，高周波加速空胴１ｅを円形に並べて構成され前記前段加速器１ｂから出射された荷電粒子ビームを取り込み更に加速して出射する円形加速器１ｆとを備え、イオン源１ａ，前段加速器１ｂ，各種電磁石１ｃ，１ｄ、高周波加速空胴１ｅ等は、加速器制御装置５からの指令を受けて動作する。本実施形態の場合は、更に、前段加速器１ｂから出射され円形加速器１ｆに粒子線ビームを輸送する系の途中に安全手段としてのストッパ１ｇが設けられ、加速器制御装置５からの指令によりこのストッパ１ｇを駆動して輸送系中に流れる粒子線ビームをストップさせたり通過させたりするようになっている。
【手続補正６】
【補正対象書類名】明細書
【補正対象項目名】００２３
【補正方法】変更
【補正の内容】
【００２３】
データベース７は、この要求を受けて、該当する照射パラメータ情報４２を取り出し、この情報４２を、加速器制御装置５と照射制御装置６に送る（ステップ４）。加速器制御装置５は、この情報４２を受け取っても、すぐには加速器１の制御は行わず、照射制御装置６からの指令を受けるまで待機する。
【手続補正７】
【補正対象書類名】明細書
【補正対象項目名】００２４
【補正方法】変更
【補正の内容】
【００２４】
照射制御装置６は、この情報４２を受け取ると、次に、スノートに取り付けられている識別手段４ｍが読み取った識別標識を取り込み（ステップ５）、スノートに装着されている患者ボーラスの識別標識および患者コリメータの識別標識と、情報４２に含まれる患者ボーラスの識別標識および患者コリメータの識別標識とを比較し、両者共に一致しているか否かを判定する（ステップ６）。
ステップ６での判定結果が肯定（一致している）の場合には、ステップ７に進み、照射制御装置６は加速器制御装置５に照射許可信号４３を発行する。これにより、ストッパ
１ｇは「開」にされて粒子線が前段加速器１ｂから円形加速器１ｆに入射され、円形加速器１ｆで高エネルギーに加速された粒子線が粒子線照射装置４に入力され、照射制御装置６からの制御信号により粒子線照射装置４が動作して、治療に適切な粒子線が患者に照射される（ステップ８）。
【手続補正８】
【補正対象書類名】明細書
【補正対象項目名】００２５
【補正方法】変更
【補正の内容】
【００２５】
ステップ６での判定結果が否定（一致していない）の場合には、ステップ９に進み、照射制御装置６から加速器制御装置５に照射禁止信号４４を発行すると共に、警報を発して医者や治療補助員に警告する。この照射禁止信号４４を受けた加速器制御装置５は、ストッパ１ｇを「閉」として、粒子線が前段加速器１ｂから円形加速器１ｆ内に入射されないようにする（ステップ１０）。
【手続補正９】
【補正対象書類名】明細書
【補正対象項目名】００２６
【補正方法】変更
【補正の内容】
【００２６】
このように、患者ボーラス，患者コリメータに付けられた識別標識がそのときの治療に用いるべきものであるか否かを判定して正しい場合にのみ粒子線の照射が許可される構成としたため、適切でない粒子線の患者への誤照射が防止される。尚、この実施形態では、前段加速器１ｂから円形加速器１ｆへの粒子線をストップさせるストッパを用いているが、このストッパを用いずに、安全手段として、加速器制御装置５が前段加速器１ｂを停止させるようにしたり、また、円形加速器１ｆから粒子線照射装置４への粒子線の入射を阻止するストッパを設けたり、また、円形加速器１ｆからの粒子線の出射を制御するなど、他の構成を採用しても同様の効果が得られることはいうまでもない。また、ボーラス，コリメータに識別標識を物理的に切り欠いて付けた例について説明したが、例えばバーコードのような標識を張り付け、識別手段によりこれを光学的に読み取って照射制御装置６に送信する構成にすることも可能である。
【手続補正１０】
【補正対象書類名】明細書
【補正対象項目名】００２７
【補正方法】変更
【補正の内容】
【００２７】
【発明の効果】
本発明によれば、誤った患者ボーラスを粒子線照射装置に装着したことによる不適切な粒子線の患者への照射を防止でき、安全性の高い粒子線治療システムを構成できるという効果がある。
【手続補正１１】
【補正対象書類名】明細書
【補正対象項目名】符号の説明
【補正方法】変更
【補正の内容】
【符号の説明】
１…加速器、１ｂ…前段加速器、１ｆ…円形加速器、１ｇ…ストッパ、２…治療台、３…患者、４…粒子線照射装置、４ｉ…スノート、４ｉ′…ボーラス用スノート、４ｊ…患者ボーラス、４ｋ…患者コリメータ、４ｍ…識別手段、５…加速器制御装置、６…照射制御装置、７…データベース、８…入力装置、９…ネットワーク、２０…穴、２１…識別標識、２２，２３…凸条、２４，２５…案内レール、３１，３２…導体板、３３…コイルバネ、３４…押しボタン、３５…ピン、４３…許可信号、４４…禁止信号。